(57)【要約】  液晶プロジェクタを収納しておくケースにテレビジョン受像機の機能を与え、液晶プロジェクタをホームシアター以外にも利用し、セッティングや収納の煩わしさを軽減する。【課題】【解決手段】  液晶プロジェクタ１１を収納して保護するケース１０と、ケース１０内部の所定位置に、液晶プロジェクタ１１を所定の姿勢で固定するプロジェクタ固定手段１２と、液晶プロジェクタ１１をプロジェクタ固定手段１２により固定した状態で、液晶プロジェクタ１１により投影されるテレビジョン画面を表示するものであって、ケース１０に収納可能なスクリーン２１と、スクリーン２１をケース１０にテレビジョン画面を表示する状態で支持固定するスクリーン固定手段２０とを備えた。【選択図】図１
2006047893.tif 000002
【特許請求の範囲】
【請求項１】
液晶プロジェクタを収納して保護するケースと、
前記ケース内部の所定位置に、前記液晶プロジェクタを所定の姿勢で固定するプロジェクタ固定手段と、
前記液晶プロジェクタを前記プロジェクタ固定手段により固定した状態で、当該液晶プロジェクタにより投影されるテレビジョン画面を表示するものであって、前記ケースに収納可能な構造のスクリーンと、
前記スクリーンを前記ケースに前記テレビジョン画面を表示する状態で支持固定するスクリーン固定手段とを備えたことを特徴とする液晶プロジェクタ収納装置。
【請求項２】
請求項１に記載の液晶プロジェクタ収納装置において、
前記スクリーンは、前記ケースの開閉可能な蓋に一体に固定されていることを特徴とする液晶プロジェクタ収納装置。
【請求項３】
請求項１に記載の液晶プロジェクタ収納装置において、
前記ケースには、テレビジョンチューナが収納されており、このテレビジョンチューナの映像出力端子は、前記液晶プロジェクタの映像入力端子に対して、当該液晶プロジェクタを前記ケース内部の所定位置に前記プロジェクタ固定手段により固定した状態で、所定の接続手段を介して接続されていることを特徴とする液晶プロジェクタ収納装置。
【請求項４】
請求項１に記載の液晶プロジェクタ収納装置において、
前記ケースには、音声出力用のスピーカを収納したことを特徴とする液晶プロジェクタ収納装置。
【請求項５】
請求項１に記載の液晶プロジェクタ収納装置において、
前記ケースの内部に、前記スクリーンに投影されるテレビジョン画面表示用のビームを、前記液晶プロジェクタから前記スクリーンに導く光学機構を収納したことを特徴とする液晶プロジェクタ収納装置。
【請求項６】
請求項１に記載の液晶プロジェクタ収納装置において、
前記ケースには、前記液晶プロジェクタを前記ケース内部の所定位置に前記プロジェクタ固定手段により固定した状態で、前記ケースの外部に配置した外部スクリーンに投影されるビームを通過させる窓が設けられていることを特徴とする液晶プロジェクタ収納装置。
【請求項７】
請求項１に記載の液晶プロジェクタ収納装置において、
前記ケースの外壁面に、前記液晶プロジェクタを所定の姿勢で着脱自在に固定する、プロジェクタ外部固定手段を備えたことを特徴とする液晶プロジェクタ収納装置。
【請求項８】
請求項１に記載の液晶プロジェクタ収納装置において、
前記プロジェクタ固定手段は、前記液晶プロジェクタを前記ケースの内部に着脱自在に固定し、かつ、支持姿勢調整手段を備えたことを特徴とする液晶プロジェクタ収納装置。
【請求項９】
請求項１に記載の液晶プロジェクタ収納装置において、
前記ケースに収納されるスクリーンは、使用状態で展開され、ケース内部に折りたたまれた状態で収納されることを特徴とする液晶プロジェクタ収納装置。
【請求項１０】
請求項１に記載の液晶プロジェクタ収納装置において、
前記スクリーン及びまたは当該スクリーンを支持する支持体を、テレビジョンアンテナとしたことを特徴とする液晶プロジェクタ収納装置。
【発明の詳細な説明】
【技術分野】
【０００１】
本発明は、液晶プロジェクタを収納して保護するケースを備え、テレビジョン受像機としても使用することができる、液晶プロジェクタ収納装置に関する。
【背景技術】
【０００２】
液晶プロジェクタは、プレゼンテーション用として普及し、さらに、一般家庭においても、大画面のホームシアター用として多用されるようになった。また、テレビジョン受像機の投射機としても使用されている（特許文献１、特許文献２、特許文献３）。
【特許文献１】特開２０００−３２１６７２号公報
【特許文献２】特開２００３−１３６８９２号公報
【特許文献３】特開平６−１８９８４号公報
【発明の開示】
【発明が解決しようとする課題】
【０００３】
ここで、上記のような従来の液晶プロジェクタ収納装置には、次のような解決すべき課題があった。家庭用のホームシアターに液晶プロジェクタを使用するとき、ホームシアター専用のスペースが確保されている場合以外は、そのつど、壁面等にスクリーンをセットして、液晶プロジェクタを適当な場所に配置するという作業が必要になる。また、ホームシアターを楽しむとき以外は、液晶プロジェクタをクローゼット等に収納しておくので、収納スペースも確保する必要がある。液晶プロジェクタは光学機器であり、収納にも取り扱いにも注意を必要とし、セッティングの作業が煩わしいという問題もあった。
【０００４】
本発明は以上の点に着目してなされたもので、液晶プロジェクタを収納しておくケースにテレビジョン受像機の機能を与え、液晶プロジェクタをホームシアター以外にも利用できるようにし、さらに、セッティングや収納の煩わしさを軽減した液晶プロジェクタ収納装置を提供することを目的とする。
【課題を解決するための手段】
【０００５】
本発明の各実施例においては、それぞれ次のような構成により上記の課題を解決する。
〈構成１〉  液晶プロジェクタを収納して保護するケースと、上記ケース内部の所定位置に、上記液晶プロジェクタを所定の姿勢で固定するプロジェクタ固定手段と、上記液晶プロジェクタを上記プロジェクタ固定手段により固定した状態で、当該液晶プロジェクタにより投影されるテレビジョン画面を表示するものであって、上記ケースに収納可能な構造のスクリーンと、上記スクリーンを上記ケースに上記テレビジョン画面を表示する状態で支持固定するスクリーン固定手段とを備えたことを特徴とする液晶プロジェクタ収納装置。
【０００６】
ケースは、液晶プロジェクタを収納して保護する機能を持つ。また、プロジェクタ固定手段によりケース内部に固定した液晶プロジェクタから、スクリーン固定手段によりケースの所定箇所に支持固定したスクリーンに対して、テレビジョン画面を投影することにより、ケースをそのままテレビジョン受像器として利用できる。また、スクリーンを含む全ての部品をケース内部に収納してそのまま簡単に保管できる。
【０００７】
〈構成２〉  構成１に記載の液晶プロジェクタ収納装置において、上記スクリーンは、上記ケースの開閉可能な蓋に一体に固定されていることを特徴とする液晶プロジェクタ収納装置。
【０００８】
スクリーンをケースの開閉可能な蓋に一体化しておけば、テレビジョン受信機として利用するときに、その蓋の開閉機能を利用して、スクリーンのセットアップができる。
【０００９】
〈構成３〉  構成１に記載の液晶プロジェクタ収納装置において、上記ケースには、テレビジョンチューナが収納されており、このテレビジョンチューナの映像出力端子は、上記液晶プロジェクタの映像入力端子に対して、当該液晶プロジェクタを上記ケース内部の所定位置に上記プロジェクタ固定手段により固定した状態で、所定の接続手段を介して接続されていることを特徴とする液晶プロジェクタ収納装置。
【００１０】
一般に市販されている多くの液晶プロジェクタには、テレビジョンチューナは内蔵されていない。そこで、こうした液晶プロジェクタを収納した場合に、装置をテレビジョン受像器として使用できるようにするために、ケースにテレビジョンチューナを収納した。このテレビジョンチューナの映像出力端子を、液晶プロジェクタの映像入力端子に対して接続するとよい。ケース内部の所定位置にプロジェクタを固定した状態でこの接続ができれば操作性がよい。
【００１１】
〈構成４〉  構成１に記載の液晶プロジェクタ収納装置において、上記ケースには、音声出力用のスピーカを収納したことを特徴とする液晶プロジェクタ収納装置。
【００１２】
液晶プロジェクタを収納可能なケースは、機械的にも所定の強度を有するから、スピーカを収納して固定すると、テレビジョン受像器の音声出力手段等として機能を発揮する。
【００１３】
〈構成５〉  構成１に記載の液晶プロジェクタ収納装置において、上記ケースの内部に、上記スクリーンに投影されるテレビジョン画面表示用のビームを、上記液晶プロジェクタから上記スクリーンに導く光学機構を収納したことを特徴とする液晶プロジェクタ収納装置。
【００１４】
スクリーンをスクリーン固定手段で固定したときに、そのスクリーンにテレビジョン画面表示用のビームを投影して結像させるための最適な位置に、光学機構を収納しておけば、ケース内部の所定位置にプロジェクタを固定した状態で、容易にテレビジョン受像器のためのセッティングができる。
【００１５】
〈構成６〉  構成１に記載の液晶プロジェクタ収納装置において、上記ケースには、上記液晶プロジェクタを上記ケース内部の所定位置に上記プロジェクタ固定手段により固定した状態で、上記ケースの外部に配置した外部スクリーンに投影されるビームを通過させる窓が設けられていることを特徴とする液晶プロジェクタ収納装置。
【００１６】
大画面でテレビジョン画像をみたいときは、液晶プロジェクタ本来の使い方をする。ケースに窓を設けておくと、液晶プロジェクタ保護用のケース内部に液晶プロジェクタを収納して固定した状態で、ケースの窓を通じて外部スクリーンに投影をすることができる。
【００１７】
〈構成７〉  構成１に記載の液晶プロジェクタ収納装置において、上記ケースの外壁面に、上記液晶プロジェクタを所定の姿勢で着脱自在に固定する、プロジェクタ外部固定手段を備えたことを特徴とする液晶プロジェクタ収納装置。
【００１８】
ケースの外壁面に固定手段を設ければ、ケースを液晶プロジェクタの支持台として使用して、液晶プロジェクタを自由な姿勢で支持することができる。
【００１９】
〈構成８〉  構成１に記載の液晶プロジェクタ収納装置において、上記プロジェクタ固定手段は、上記液晶プロジェクタを上記ケースの内部に着脱自在に固定し、かつ、支持姿勢調整手段を備えたことを特徴とする液晶プロジェクタ収納装置。
【００２０】
ケースは、液晶プロジェクタの機械的な保護と運搬に利用される。ケース内部に液晶プロジェクタを着脱自在に固定することにより、液晶プロジェクタをケースから取り出して自由に独立に利用することもできる。
【００２１】
〈構成９〉  構成１に記載の液晶プロジェクタ収納装置において、上記ケースに収納されるスクリーンは、使用状態で展開され、ケース内部に折りたたまれた状態で収納されることを特徴とする液晶プロジェクタ収納装置。
【００２２】
ケースを小型化すると、ケースの蓋程度では十分なサイズのテレビジョン画面を表示できないことがある。ケースにスクリーンを折りたたんで収納し、使用時には展開するようにすれば、スクリーンを大サイズ化できる。
【００２３】
〈構成１０〉  構成１に記載の液晶プロジェクタ収納装置において、上記スクリーン及びまたは当該スクリーンを支持する支持体を、テレビジョンアンテナとしたことを特徴とする液晶プロジェクタ収納装置。
【００２４】
テレビジョン受像器として機能させる場合に、外部アンテナを使用せずに良好にテレビジョン放送を受信するために、ケース外部に組み立てられるスクリーンやスクリーンを支持する支持体をアンテナとして利用した。
【発明を実施するための最良の形態】
【００２５】
本発明では、液晶プロジェクタや、テレビジョン用のスクリーンや、スクリーンを支持固定する手段等を収納できるケースを使用する。そのケースは、普段、そのまま、テレビジョン本体として使用することもできる。ケースにはこのほかにも液晶プロジェクタを使用するための各種の機能を付加できる。以下、本発明の実施の形態を実施例ごとに詳細に説明する。
【実施例１】
【００２６】
図１及び図２は、実施例１の液晶プロジェクタ収納装置を示す斜視図である。図１はテレビジョンとして使用可能な状態を示しており、図２は収納時の状態をそれぞれ示している。
図１及び図２に示すように、液晶プロジェクタ収納装置は、液晶プロジェクタ１１を収納して保護するケース１０を備える。ケース１０の内部の所定位置には、液晶プロジェクタ１１を所定の姿勢で固定するためのプロジェクタ固定手段１２が設けられている。このプロジェクタ固定手段１２は、液晶プロジェクタ１１のレンズを斜め上方に向けて支持するような支持台になっている。この具体的な構成例は後で説明する。
【００２７】
ケース１０の中に液晶プロジェクタ１１を収納し固定した状態で運搬ができるように、ケース１０の側面には、取っ手１３が取り付けられている。また、液晶プロジェクタ１１を保護するために蓋１４、１５を設けている。これらの蓋１４、１５は、後で図５により説明するように、それぞれ蝶番で両開き可能にケース１０の上縁部に取付けられている。蓋１４と蓋１５を閉じた状態で固定するには、鞄等に広く使用されているバックル１６とバックル１７を使用する。また、このケース１０は、内部に液晶プロジェクタ１１を収納した状態でテレビジョン受像機として利用できる。このために、側面に、棒状の一対のスクリーン固定手段２０を固定する。この一対のスクリーン固定手段２０によって、スクリーン２１を支持するように構成されている。
【００２８】
スクリーン２１は、液晶プロジェクタ１１をプロジェクタ固定手段１２の上に固定した状態で、光学機構２５を利用してテレビジョン画面を投影し、表示することができるものである。この実施例では、スクリーン２１にテレビジョン画面を投影し、矢印Ａ方向からこれを鑑賞するというように構成している。スクリーン固定手段２０は、スクリーン２１の周囲に設けられた枠２４を支持線２３で引っ張りながら支持固定するように構成されている。この実施例では、後で説明するように、スクリーン固定手段２０をケース１０から取り外して、枠２４を丸めてしまうと、スクリーン２１とスクリーン固定手段２０とを、ケース１０の内部に収納することができるようなサイズに設計されている。
【００２９】
そして、図１に示すような状態に組み立てれば、このままテレビジョン受像機として利用できる。なお、ケース１０に液晶プロジェクタ１１を収納し、さらに、スクリーン固定手段２０やスクリーン２１をケース１０の内部に収納した状態で運搬をする場合には、図２に示したように、両蓋１４、１５を閉じる。なお、ケース１０の側面に設けた窓２６は、後で説明するように、液晶プロジェクタ１１をプロジェクタ固定手段１２の上に固定した状態で、ホームシアター用の大サイズの画像を、外部に配置したスクリーンに投影するために利用される。また、止め孔２７は、スクリーン固定手段２０を固定するための孔である。
【００３０】
図３は、図１に示した液晶プロジェクタ収納装置をスクリーンに垂直な面で切断した状態を示す縦断面図である。
図３に示すように、ケース１０の内部には、その底の部分にプロジェクタ固定手段１２が固定され、液晶プロジェクタ１１は、プロジェクタ固定手段１２の上面にバンド３４とバンド３５によって固定されている。バンド３４とバンド３５には、例えば、ワイヤスプリングを使用した。これにより、どんなメーカーのどんなサイズの液晶プロジェクタも容易に固定できる。なお、特定のメーカーの液晶プロジェクタを固定するならば、様々な既知のクランプ機構を使用して、ワンタッチで着脱も可能になる。
【００３１】
ケース１０の前面側には、テレビジョンチューナ３０が配置され固定されている。このテレビジョンチューナ３０に設けられた映像出力端子３２は、液晶プロジェクタ１１に設けられた映像入力端子３３と接続ケーブル３１を介して接続されている。従って、テレビジョンチューナ３０によって受信されたテレビジョン画面の映像信号が液晶プロジェクタ１１に供給されて、スクリーン２１に映し出される。
【００３２】
液晶プロジェクタ１１のレンズ前方には、光学機構２５が配置されている。この中には、反射鏡３７が設けられており、液晶プロジェクタ１１から発射された投影用のビーム３９をスクリーン２１に向けて反射する。スクリーン２１の投影面におけるピント調整や画像の歪補正は、液晶プロジェクタ１１に設けられた既存の台形補正技術などを使用して解決するとよい。ケース１０の内部には、これをテレビジョン受像機として利用するために、リモートコントローラ３８を収納しておく。使用時にはリモートコントローラ３８を取り出し、矢印の方向からスクリーン２１を鑑賞する。そして、必要に応じてリモートコントローラ３８を操作してチャンネルを切り換えたり、様々なテレビジョン画面表示制御を行う。
【００３３】
なお、テレビジョンチューナ３０は、ケース１０の内部に当初から固定されている。接続ケーブル３１は液晶プロジェクタ１１をプロジェクタ固定手段１２に固定した状態で映像出力端子３２と映像入力端子３３を接続できるような十分な長さに選定されている。従って、ケース１０に液晶プロジェクタ１１を収納し、固定し運搬できる状態でもこれらの接続をしたままでよい。テレビジョンを鑑賞したい場合には、最小限スクリーン固定手段２０とスクリーン２１の組み立てをし、蓋１５を開く、といった作業で足りることになる。テレビジョン鑑賞をしないときは、蓋１５を閉じておくと、液晶プロジェクタ１１を埃や異物の侵入等から保護できる。
【００３４】
図４は、スクリーン２１とスクリーン固定手段２０の分解時の状態を示す斜視図である。
スクリーン固定手段２０には、図４に示すように、２個のフック４０が設けられている。スクリーン固定手段２０の基部４２をケース１０の止め孔２７（図２）に装着した後、スクリーン２１の枠２４に取り付けられた支持線２３先端のピン４１をフック４０に係止することによってスクリーン２１を支持することができる。なお、ピン４１は、支持線２３の外れ防止のためのものである。支持線２３に伸縮するゴム状弾性があれば、スクリーン２１に水平方向に張力を与えた状態で支持できる。スクリーン２１は、図のように、巻いたり、何分の１かに折り畳むことによって、ケース１０の内部に収納することができる。
【００３５】
図５は、ケース１０を図３の矢印Ａ方向から見たときの液晶プロジェクタ収納装置を示す正面図である。
図５に示すように、ケース１０の前面には、受光窓４５とインジケータランプ４６とスイッチ４７が設けられている。リモートコントローラ３８（図３）を操作した時、その信号は受光窓４５を通じて受信され、テレビジョンチューナ３０に入力する。インジケータランプ４６は、テレビジョンチューナ３０が動作中かどうかを表示するためのものである。スイッチ４７は、テレビジョンチューナ３０や液晶プロジェクタ１１を同時に起動させるための電源スイッチである。電源ケーブル４８は、テレビジョンチューナ３０や液晶プロジェクタ１１に電力を供給するための電源コードである。
【００３６】
テレビジョンチューナ３０だけでなく、液晶プロジェクタ１１も、上記の受光窓４５を通じてリモートコントロールすることが可能である。また、上記の構成では、例えば、電源ケーブル４８はケース１０の内部に設けられた図示しないコンセントに接続されているとよい。このコンセントには、液晶プロジェクタ１１の電源プラグを接続する。このコンセントにテレビジョンチューナ３０の電源プラグを差し込んでもよい。コンセントはチューナと一体化されていてもよい。即ち、液晶プロジェクタ１１はケース１０の内部の電源プラグを抜き差しすることにより、容易にケース１０に出し入れできるとよい。こうすれば、このケース１０には任意の機種の液晶プロジェクタを収納することができる。
【００３７】
図６は、上記プロジェクタ固定手段１２の具体的な構成を示す斜視図である。
プロジェクタ固定手段１２は、例えば、図６に示すように、多数の窓や孔を設けたフレームから構成される。液晶プロジェクタ１１を固定したまま動作させるので、放熱を妨げないように多数の窓を設けた。さらに、プロジェクタ固定手段１２をヒートシンクとしての役割を持つように、熱伝達のよい金属板などから構成するとよい。ケース１０には、放熱用の窓を多数設けるとよい。
【００３８】
プロジェクタ固定手段１２には、図６に示したように、コイルスプリングからなるバンド３４やバンド３５を取り付ける。これによって、液晶プロジェクタ１１をプロジェクタ固定手段１２の上面に弾力を用いて縛り付ける。バンド３４とバンド３５を外せば、直ちに液晶プロジェクタ１１をケース１０の内部から取り出して独立に使用することが可能になる。プロジェクタ固定手段１２に液晶プロジェクタ１１を固定する手段は、既に説明したように、用途や液晶プロジェクタ１１の設計に応じて自由に変更するとよい。このプロジェクタ固定手段１２は、ケース内部に動かないように固定してしまうのもよいが、次のように傾斜を変更できるようにするとさらによい。
【００３９】
図の例では、プロジェクタ固定手段１２は、蝶番６５と、湾曲しかつガイド溝６８を有するガイド板６６と、固定螺子６７と備えた支持姿勢調整手段により、仰角を自由に調整することができる。すなわち、この支持姿勢調整手段は、プロジェクタ固定手段１２の、液晶プロジェクタ１１を載置する上面部分を、蝶番６５の取付縁部を軸として回転可能とすると共に、当該上面部分の端部に固定螺子６７をねじ込んだ構造とする。当該上面部分の仰角を調整する場合は、固定螺子６７を緩めた状態で、固定螺子６７をガイド板６６のガイド溝６８に沿って移動させながら当該上面部分を回動し、所定の角度に傾斜させたところで、固定螺子６７を締め付けて当該上面部分を固定する。
【００４０】
ガイド板６６の長さをもっと長くすれば、液晶プロジェクタ１１をほぼ垂直上方に向けることもできる。一般に、液晶プロジェクタ１１の仰角は、液晶プロジェクタ１１の図示しない脚の長さを調整して増減できるが、その調整可能な範囲は小さい。この実施例のようなケース１０に収納して、プロジェクタ固定手段１２に液晶プロジェクタ１１を固定すれば、大幅に支持姿勢調整の自由度が増す。従って、外部スクリーンの位置や投射角度を非常に自由に簡単に選定し変更できるという効果がある。
【００４１】
図７は、ケース１０の窓２６の付近の縦断面図である。
図７に示すように、常時は窓２６の部分を塞ぐように開閉枠５０が設けられており、この開閉枠５０に光学機構２５が固定されている。テレビジョン画像を鑑賞する場合には、開閉枠５０を窓２６にはめ込んだ状態で、光学機構２５を液晶プロジェクタ１１の前方に配置する。これは、図３で説明したとおりの状態である。一方、液晶プロジェクタ１１を用いてホームシアター用の外部スクリーンに画像を投影したいという場合には、図７に示すように、光学機構２５と共に開閉枠５０を持ち上げて、窓２６を開放する。
【００４２】
このとき、液晶プロジェクタ１１をプロジェクタ固定手段１２から取り外さなくてもよい。液晶プロジェクタ１１の前方の窓２６を通じて、投影用のビーム３９をそのままケース１０の外側に取り出すことができる。なお、この図７の例では、床面に平行に近い角度で投影用のビーム３９を通過させて外部に取り出すようにしている。しかしながら、台形補正技術によれば、スクリーンの下方から液晶プロジェクタを上方に向けて投影することもできる。このときには、液晶プロジェクタ１１を図７に破線で示すように、上向きに、すなわち、水平面に対して高い角度で傾斜させて支持する。
【００４３】
角度調整は、プロジェクタ固定手段１２に設けた、既に説明した支持姿勢調整手段を利用するとよい。上方へ投影用のビームを発射するときは、ケース１０の蓋１５を開放し、光学機構２５は、そのままにしておくとよい。蓋１５を開放した部分が新たな窓になる。これにより、ケース１０の内部で、プロジェクタ固定手段１２に液晶プロジェクタ１１を固定したまま外部にビームを取り出すことが可能になる。
【００４４】
図８は、上記液晶プロジェクタ収納装置の内部回路を示すブロック図である。
図８に示すように、液晶プロジェクタ収納装置の内部には、テレビジョンチューナ３０が設けられており、これが接続ケーブル３１を介して液晶プロジェクタ１１に接続されている。また、リモートコントロール制御のために、テレビジョンチューナ３０にはリモコン制御部５５が接続されて、図５に示した受光窓４５に対向させている。また、テレビジョン放送の音声を出力するために、テレビジョンチューナ３０の内部あるいは外部に、他の接続ケーブル３６を介してＡＭＰ（増幅器）５３を接続し、ＳＰ（スピーカ）５４を接続している。
【００４５】
ＳＰ（スピーカ）５４は、図５に示すケース１０の前面あるいは側面に固定されている。ケース１０を十分丈夫な箱で構成しておけば、ＳＰ（スピーカ）５４を固定することによって比較的音質の良い音声出力が可能になる。また、テレビジョン放送を受信するために、テレビジョンチューナ３０にはアンテナ５１が接続されている。電波の強い場所では、アンテナ５１はごく短い電線で構わない。また、屋外アンテナ用のアンテナケーブルを接続できる場所では、アンテナケーブル接続端子を、テレビジョンチューナ３０に設けておけばよい。しかしながら、装置を自由に持ち運びできるようにするためには、比較的感度の良いアンテナを持つことが好ましい。
【００４６】
そこで、図２に示したケース１０の止め孔２７の部分にコネクタ５２を配置し、ここにスクリーン固定手段２０の基部４２を装着する。これにより、スクリーン固定手段２０をテレビジョン用のアンテナとして使用することができる。スクリーン固定手段２０を１本使用して、垂直アンテナにすることができる。また、スクリーン２１の周囲に設けた枠２４をアンテナ素子の一部にすれば、ループアンテナを構成することもできる。このようにケース１０の外部に取り付けるスクリーン固定手段２０や枠２４を、テレビジョン受像機用のアンテナにすることができる。
【００４７】
以上の実施例において、光学機構２５は、スクリーン２１の場所や配置角度に応じて自由にその固定場所や反射鏡３７の構成を変更して構わない。上記の例では、スクリーン２１の裏面にテレビジョン画像を投射し、表面からテレビジョンを鑑賞するようにした。しかしながら、スクリーン２１の正面から映像を投射し、正面からテレビジョン画像を鑑賞することも可能である。またスクリーン２１やスクリーン固定手段２０は、液晶プロジェクタ収納装置を使用状態にするときにケースから取り出して展開すればよく、その形状や構造は任意である。また、液晶プロジェクタにテレビジョンチューナが内蔵されているときは、もっとケース内部を簡単な構造にできる。アンテナ接続端子とスピーカ接続端子があればよい。
【実施例２】
【００４８】
図９は、スクリーンを変形した実施例２の液晶プロジェクタ収納装置を示す斜視図である。
図９に示すように、この実施例のケース５７の蓋５８は、枠状に構成されており、枠に囲まれるようにスクリーン５９が一体に固定されている。蓋５８を蝶番６０を利用して開閉可能にすることによって、スクリーン５９をケース５７に対し、図１に示したように垂直な状態に支持できる。そして、図１を用いて説明したのと同様の要領で、内部に収納した液晶プロジェクタ１１から投影されるテレビジョン画像を、スクリーン５９に映し出すことが可能になる。この場合、単に蓋５８を開いて垂直に立てるだけの操作でよいから、非常に組み立てが簡単になる。ケース５７のサイズが比較的大きい場合には、このようにしてテレビジョン受像機としての利用を簡便にすることもできる。
【実施例３】
【００４９】
図３を用いて説明したように、液晶プロジェクタ１１をケース１０の内部に設けたプロジェクタ固定手段１２に支持固定しておき、ケース１０の側壁や蓋を開いて外部へビームを導き出すようにすれば、液晶プロジェクタ１１をケース１０から取り外さなくても、外部スクリーンへの投影が可能になる。しかしながら、ホームシアターなどのスクリーンの配置やサイズは様々であり、微妙な調整が必要になることがある。そこで、この実施例では、ケースの蓋に支持姿勢調整手段の付いたプロジェクタ外部固定手段を設けた。
【００５０】
図１０は、ケースの蓋を変形した実施例３の液晶プロジェクタ収納装置を示す側面図である。
この実施例ではプロジェクタ外部固定手段として、ケース６１の蓋６２にバンド６４、６５を備えている。これらのバンド６４、６５は、図６に示したバンド３４、３５と同様の構成である。もちろん、固定方法は任意である。即ち、ケース６１の蓋６２にプロジェクタ外部固定手段を設けることにより、ケース６１を台にして、その上に固定した液晶プロジェクタを操作することができるようになる。蓋６２は、ケース６１に蝶番を介して回動自在に取付られており、その傾斜角度を自由に変更できるから、支持姿勢調整手段の一部に使用するとよい。支持角度の変更方法は図６に示した例と同様でもよいが、既知の任意の角度調整機構６３により、自由な角度に固定できる支持台にすることが好ましい。これにより、液晶プロジェクタの姿勢制御の自由度が高まり、操作性も改善され、ケース１０を、安定で最適なプレゼンテーションやホームシアター用の支持台として利用できる。
【００５１】
以上説明した装置はいずれも、液晶プロジェクタ１１を保護し収納するためのケース１０をテレビジョン受像機として使用することができるので、ケース１０を収納する場所を確保しなくても構わない。すなわち、普段は部屋の隅に配置して、テレビジョンとして利用すればよい。そして、ホームシアターをセットする場合には、ケース１０に設けられた窓２６を開いたり、プロジェクタ固定手段１２を調整したり、あるいは蓋６２を利用して液晶プロジェクタ１１を最適な姿勢に確保し、簡単にセットアップをすることが可能である。
【図面の簡単な説明】
【００５２】
【図１】実施例１の液晶プロジェクタ収納装置使用状態を示す斜視図。
【図２】実施例１の液晶プロジェクタ収納装置収納時の状態を示す斜視図。
【図３】実施例１の装置をスクリーンに垂直な面で切断した縦断面図。
【図４】スクリーンとスクリーン固定手段の分解時の状態を示す斜視図。
【図５】液晶プロジェクタ収納装置の正面図。
【図６】プロジェクタ固定手段の具体的な構成を示す斜視図。
【図７】ケースの窓の付近の縦断面図。
【図８】液晶プロジェクタ収納装置の内部回路を示すブロック図。
【図９】実施例２の液晶プロジェクタ収納装置を示す斜視図。
【図１０】実施例３の液晶プロジェクタ収納装置を示す側面図。
【符号の説明】
【００５３】
１０  ケース、１１  液晶プロジェクタ、１２  プロジェクタ固定手段、１３  取っ手、１４，１５  蓋、１６，１７  バックル、２０  スクリーン固定手段、２１  スクリーン、２３  支持線、２４  枠、２５  光学機構、２６  窓、２７  止め孔
【図１】
2006047893.tif 000003
【図２】
2006047893.tif 000004
【図３】
2006047893.tif 000005
【図４】
2006047893.tif 000006
【図５】
2006047893.tif 000007
【図６】
2006047893.tif 000008
【図７】
2006047893.tif 000009
【図８】
2006047893.tif 000010
【図９】
2006047893.tif 000011
【図１０】
2006047893.tif 000012